(57)【特許請求の範囲】
【請求項１】
キャップシュートから供給される盗用防止保証機能付きキャップを受け取り、キャッパに供給するキャップ取り出し装置において、キャップ取り出し装置をキャップ受け取り用ホイール型キャップディスクとキャップ供給用ホイール型キャップディスクで構成し、キャップ受け取り用ホイール型キャップディスクに設けられたキャップ支持部材と当該支持部材で支持されたキャップの支持対向面をガイドする外側ガイドを、キャップ受け取り位置においてキャップ側面下方の盗用防止保証機能用リングバンドより上方に当接するように設け、キャップ供給用ホイール型キャップディスクに設けられたキャップ支持部材と当該支持部材で支持されたキャップの支持対向面をガイドする外側ガイドを、キャップ取り出し位置において前記キャップ受け取り位置での当接高さより低い位置で当接するように設けることを特徴とするキャップ取り出し装置。
【発明の詳細な説明】
【０００１】
【発明の属する技術分野】
本発明は、盗用防止保証機能付きキャップに対するキャッパのキャップ取り出し装置に関するものである。
【０００２】
【従来の技術】
従来は、回転軸に固定されたキャップ取出用ホイールと、該キャップ取出用ホイールの外周に設けられたキャップ支持部とを備え、該キャップ支持部によりシュートからのキャップを受け取り、キャッパへ受け渡すキャップ取出装置において、該キャップ支持部を、キャップの底面と側面を支持する段部とすると共に、該キャップ支持部に支持されたキャップを外側からガイドするキャップガイドを、キャップ取出用ホイールと分離して固設したキャップ取出装置（特開平９−４００８０号公報参照）が存在している。
【０００３】
【発明が解決しようとする課題】
しかしながら、従来のキャップ取出装置は、盗用防止保証機能付きキャップを取り扱う場合、特に最近は高速機が要望されているので、キャップシュートから供給されるキャップを支持部でキャッパに受け渡していたため、キャップを保持する支持部では、盗用防止保証機能用のリングバンド部分をガイドで支持して送り出すことになるので、キャップシュートから取り出す時にキャップのリングバンド部が破損するという問題があった。
【０００４】
本発明は、この事情に鑑み、キャップシュートから供給されてくるキャップを受け取るキャップ受け取り用ホイール型キャップディスクと、キャップ受け取り用ホイール型キャップディスクから蹴り出されたキャップを受け取るキャップ供給用ホイール型キャップディスクをキャッパの前に設置することにより、２つのスターホイールを構成し、キャップシュートより供給されるキャップをキャップ受け取り用ホイール型キャップディスクで搬送し、このキャップ受け取り用ホイール型キャップディスクにおいてはキャップの強度の弱い部分である盗用防止保証機能用のリングバンド以外の部分をガイドできるようにし、また、キャップ受け取り用ホイール型キャップディスクと同期して回転するキャップ供給用ホイール型キャップディスクを有し、このキャップ供給用ホイール型キャップディスクにはキャップの強度の弱い部分である盗用防止保証機能用のリングバンド部分をガイドして搬送できるようにすることによって、キャップの受け取り位置と取り出し位置でのガイド高さを変えることによりキャップを受け渡すためのチャックでの把持を行い易くしたキャップ取り出し装置を提供することを目的とするものである。
【０００５】
【課題を解決するための手段】
本発明は、前記課題を解決するために、キャップシュートから供給される盗用防止保証機能付きキャップを受け取り、キャッパに供給するキャップ取り出し装置において、キャップ取り出し装置をキャップ受け取り用ホイール型キャップディスクとキャップ供給用ホイール型キャップディスクで構成し、キャップ受け取り用ホイール型キャップディスクに設けられたキャップ支持部材と当該支持部材で支持されたキャップの支持対向面をガイドする外側ガイドを、キャップ受け取り位置においてキャップ側面下方の盗用防止保証機能用リングバンドより上方に当接するように設け、キャップ供給用ホイール型キャップディスクに設けられたキャップ支持部材と当該支持部材で支持されたキャップの支持対向面をガイドする外側ガイドを、キャップ取り出し位置において前記キャップ受け取り位置での当接高さより低い位置で当接するように設けるという技術手段を採用した。
【０００６】
【発明の実施の形態】
本発明は、キャップソータからキャップシュートを介してキャップ受け取り用ホイール型キャップディスクにより移送されてくるキャップを等間隔でキャップ供給用ホイール型キャップディスクへ搬送するキャップ取り出し装置で、回転軸に固定されたキャップの底面と側面を支持するキャップ支持部を外周に設けたキャップ受け取り用ホイール型キャップディスクと、該キャップ支持部に保持されて搬送されるキャップをキャップ受け取り用ホイール型キャップディスクに確実に保持したまま搬送できるようにキャップ受け取り用ホイール型キャップディスクの外側の適宣部位にキャップをガイドする外側ガイドが設けられている。この外側ガイドは丈夫なキャップの中間部をガイドする。そして、このキャップ受け取り用ホイール型キャップディスクと同期してキャップ供給用ホイール型キャップディスクを設け、キャップを円滑に受け渡し、このキャップ供給用ホイール型キャップディスクの外周部にキャップをガイドする外側ガイドが設けられている。この外側ガイドは、キャップ受け取り位置とキャッパへのキャップ取り出し位置の近辺は強度の弱いリングバンド部をガイドするように薄くして、キャップの受け取り位置と取り出し位置でのガイド高さを変えることによりキャッパの受け渡し用チャックが掴み易いように構成されている。
【０００７】
【実施例】
次に本発明の一実施例を添付図面で詳細に説明する。図１は、本発明のキャップ取り出し装置の概略平面図である。
【０００８】
先ず、本発明の全体像を概略説明する。
キャップソータからキャップシュート１を介してキャップ受け取り用ホイール型キャップディスク２により移送されてくるキャップ１２は前記キャップ受け取り用ホイール型キャップディスク２と同期して１個ずつ等間隔でキャップ供給用ホイール型キャップディスク３へ搬送される。キャップ供給用ホイール型キャップディスク３からチャック等を介してキャッパ６に受け渡され、キャッピングされる。この際、容器は搬送コンベヤ４から入口スターホイール５を介してキャッパ６に送られキャッピングされ、出口スターホイール７から排出コンベヤ８を介して移送されるものである。
【０００９】
次に、図２、図３に基づいて本願発明を詳細に説明すると、キャップ受け取り用ホイール型キャップディスク用回転軸９が回転可能に設けられており、図示しない駆動源に接続されている。キャップ受け取り用ホイール型キャップディスク２はキャップ受け取り用ホイール型キャップディスク用回転軸９に嵌合固定された第１位置決めカラー１０等によりキャップ受け取り用ホイール型キャップディスク用回転軸９と一体に回転できるようになっている。同様に、キャップ供給用ホイール型キャップディスク３もキャップ供給用ホイール型キャップディスク用回転軸１１が回転可能に設けられており、図示しない駆動源に接続され、同期回転できるようになっている。
【００１０】
キャップ受け取り用ホイール型キャップディスク２には、キャップ１２を支える円盤１３と、キャップ１２の側面を支持するキャップ支持部材としてのスターホイール１４が設けられる。さらにキャップ１２のスターホイール１４で支持される側面に対向する側面を案内する位置には外側ガイド１６が設けられ、キャップ１２の上部を抑える位置には上部抑えガイド１５が設けられている。本実施例ではスターホイール１４と外側ガイド１６は、キャップ１２がスターホイール１４で支持されている間は常にキャップ１２の側面略中間部に当接する高さに設けられているが、キャップ受け取り位置２０においてリングバンド部を避けていればよく、キャップ受け取り位置２０以外では所望の位置に当接してもよい。
【００１１】
そして、キャップ供給用ホイール型キャップディスク３には、キャップ１２を支える円盤１７と、キャップ１２の側面を支持するキャップ支持部材としてのスターホイール１８が設けられている。また、キャップ１２の上部を抑える位置には上部抑えガイド１５がキャップ受け取り用ホイール型キャップディスク２の上部から延長されて設けられている。
【００１２】
さらに、キャップ１２のスターホイール１８で支持される側面に対向する側面を案内する位置には段付き外側ガイド１９が設けられており、この段付き外側ガイド１９は、キャップ受け取り用ホイール型キャップディスク２からキャップ供給用ホイール型キャップディスク３にキャップ１２を受け渡す位置とキャップ取り出し位置２１においてはキャップ側面下方の盗用防止保証機能用リングバンド部近傍のみに当接し、他の位置ではキャップ１２の側面略中間部から下方に渡り当接するように段を付けてある。すなわち、その他の位置は、キャップ１２の強度的に弱いリングバンド部と強い中間部の両方に当接するように厚く構成されている。
【００１３】
このように段付き外側ガイド１９の薄い部分をキャップ取り出し位置２１に構成することにより、キャッパ６のチャックでのキャップ把持を確実に行うことができる。さらに、キャップ取り出し位置２１以外では、キャップ１２の側面略中間部を支持することとなるので、キャップの搬送が安定する。
【００１４】
以上の構成において、図示しないキャップソータにより整列され、キャップシュート１を介して搬送されてきたキャップ１２は、キャップ受け取り用ホイール型キャップディスク２に設けたキャップ１２を支持する円盤１３に受け渡され、スターホイール１４、上部抑えガイド１５、外側ガイド１６によってガイドされながら同期して回転しているキャップ供給用ホイール型キャップディスク３へ受け渡す。
【００１５】
このキャップ供給用ホイール型キャップディスク３には、スターホイール１８、上部抑えガイド１５、前記キャップ受け取り用ホイール型キャップディスク２に設けた外側ガイド１６を延長して内側をガイドし、さらに段付き外側ガイド１９によりガイドしながらキャッパ６の図示しないキャッピングヘッドによりチャックされキャッパ６へ受け渡すようにしたものである。
【００１６】
次に、図４に基づいて本発明の他の実施例について説明する。図１に示した前記実施例に比べて、キャップ供給用ホイール型キャップディスク３の配置位置を入口スターホイール５の上方に設けたので、図４としてはキャップ供給用ホイール型キャップディスク３と入口スターホイール５とが重なっている。このようにキャップ供給用ホイール型キャップディスク３が入口スターホイール５の上方に設けた点が違うだけで、その他の構成は前記実施例と同じものである。この構成にすることで、入口スターホイール５と出口スターホイール７の取り付け間隔を狭くすることができるが、高速機に対応できる構成としては、図１に示した前記実施例の方が適している。
【００１７】
【発明の効果】
本発明は以上の構成に基づいて、次の効果を得ることができる。
（１）高速機が要望されることにより生じるキャップの受け渡しの際の、強度的に弱い盗用防止保証機能用のリングバンド部の破損を防止することができる。
（２）キャップ高さの高いキャップ（例えば、スポーツキャップ）の取り出しに対して安定性が向上する。
【図面の簡単な説明】
【図１】本発明の実施例におけるキャップ取り出し装置の概略平面図である。
【図２】本発明の実施例におけるキャップ取り出し装置の要部平面図である。
【図３】同じく要部側面図である。
【図４】本発明の他の実施例におけるキャップ取り出し装置の概略平面図である。
【符号の説明】
１‥‥キャップシュート
２‥‥キャップ受け取り用ホイール型キャップディスク
３‥‥キャップ供給用ホイール型キャップディスク
４‥‥搬送コンベヤ                  ５‥‥入口スターホイール
６‥‥キャッパ                      ７‥‥出口スターホイール
８‥‥排出コンベヤ
９‥‥キャップ受け取り用ホイール型キャップディスク用回転軸
１０‥‥第１位置決めカラー
１１‥‥キャップ供給用ホイール型キャップディスク用回転軸
１２‥‥キャップ                    １３‥‥円盤
１４‥‥スターホイール              １５‥‥上部抑えガイド
１６‥‥外側ガイド                  １７‥‥円盤
１８‥‥スターホイール              １９‥‥段付き外側ガイド
２０‥‥キャップ受け取り位置        ２１‥‥キャップ取り出し位置
【図１】
0004073112.tif 000002
【図２】
0004073112.tif 000003
【図３】
0004073112.tif 000004
【図４】
0004073112.tif 000005